(57)【要約】【課題】体内の奥深い部分に無駄なく薬剤を適用することができるシリンジ補助器を提供する。【解決手段】シリンジのバレルＢに連結され、そのシリンジのピストンロッドＰを受け入れ可能なシリンダ４と、シリンダ４の内面に密接してシリンダ４内を往復動し、前進時に先端面がピストンロッドＰの後端面に当接しうるプランジャ５とを備え、シリンダ４が、先端面にバレルＢの外周面と相補する孔を有し、後端面が開放された相対的に短い筒状のアタッチメント２と、先端がアタッチメント２の後部に嵌合可能で、プランジャ５が往復動するための相対的に長い筒状の本体３とからなり、バレルＢへの連結が、バレルＢ後部にバレルＢよりも径方向外側に突出するようにバレルＢと一体的に形成されたフランジＦをアタッチメント２と本体３とで挟むことによりなされることを特徴とする。【選択図】図４
2013048662.tif 000002
【特許請求の範囲】
【請求項１】
シリンジのバレルに連結され、そのシリンジのピストンロッドを受け入れ可能なシリンダと、
シリンダの内面に密接してシリンダ内を往復動し、前進時に先端面が前記ピストンロッドの後端面に当接しうるプランジャと
を備えることを特徴とするシリンジ補助器。
【請求項２】
前記シリンダが、先端面にシリンジのバレルの外周面と相補する孔を有し、後端面が開放された相対的に短い筒状のアタッチメントと、先端が前記アタッチメントの後部に嵌合可能で、前記プランジャが往復動するための相対的に長い筒状の本体とからなり、
前記バレルへの連結が、バレル後部にバレルよりも径方向外側に突出するようにバレルと一体的に形成されたフランジを前記アタッチメントと前記本体とで挟むことによりなされる請求項１に記載のシリンジ補助器。
【請求項３】
前記アタッチメントの後部内周面及び前記本体の先端部外周面にそれぞれ雌ねじ及び雄ねじが形成され、前記嵌合が、それらのねじ運動に伴ってなされる請求項２に記載のシリンジ補助器。
【請求項４】
前記アタッチメントの後部内周面及び前記本体の先端部外周面にそれぞれ互いに相補する環状の凸部及び凹部が形成され、前記嵌合が、圧入である請求項２に記載のシリンジ補助器。
【請求項５】
前記プランジャの後端面が前記ピストンロッドの後端面よりも大きい面積を有する請求項１に記載のシリンジ補助器。
【請求項６】
前記シリンダが後端面にねじ孔を有し、前記プランジャの外周面にそのねじ孔と嵌合する雄ねじが形成され、プランジャがねじ運動に伴ってシリンダ内を往復動する請求項１に記載のシリンジ補助器。
【請求項７】
更に、挟み式の一対のレバーを備え、その第一のレバーの先端が前記シリンダに、第二のレバーの先端が前記プランジャにそれぞれ固定されている請求項１に記載のシリンジ補助器。
【請求項８】
更に、前記シリンダ外又はシリンダ内にリターンスプリングが配置され、前記プランジャがそのリターンスプリングの弾性復元力によって後退する請求項１に記載のシリンジ補助器。
【発明の詳細な説明】
【技術分野】
【０００１】
この発明は、シリンジ内の薬剤を押し出すための補助器に関し、特に薬剤が医療用接着剤や止血剤などの粘性の高い液体である場合、及びシリンジがプレフィルドシリンジである場合に好適に利用される。
【背景技術】
【０００２】
外科手術では、手術時間を短縮する、抜糸を不要にする又は血管等の細部を接着する等の目的で、縫合に代えて又は縫合と併せてフィブリン糊などの生体適合性に優れた接着剤が塗布されることもある。塗布の手段として、感染の危険を軽減する、救急時の迅速な塗布を可能にするなどの目的のため、予めバレルに接着剤が充填されたプレフィルドシリンジが用いられることがある。プレフィルドシリンジは、そのまま用いられる場合と、先端に細長いノズルを取り付けることにより、体内の奥深い部分まで届くようにして用いられる場合とがある（非特許文献１）。
【先行技術文献】
【非特許文献】
【０００３】
【非特許文献１】エチコン社ホームページ（２０１１年８月１６日改訂）、［ｏｎｌｉｎｅ］、［平成２３年８月１７日検索］、インターネット＜http://www.ethicon360.com/products/surgiflo-hemostatic-matrix＞
【発明の概要】
【発明が解決しようとする課題】
【０００４】
しかし、プレフィルドシリンジは、接着剤の充填量によって、その内径や長さが定まっていて、体内の奥深い部分に届くほどに長いものは市販されておらず、奥深い部分に対してはそのままでは使用できなかった。かといって、前記のようにノズルを取り付けると、ノズル中に高価な接着剤が残存し、非経済的であった。
また、医療用接着剤は、粘性が高いため、シリンジから押し出す際に通常の薬剤よりも強い力をかける必要があるところ、ピストンロッドの後端面の面積が狭いため、その反力によって指が受ける圧力が高くなり、外科医に負担となっていた。
それ故、この発明の第一の課題は、体内の奥深い部分に無駄なく薬剤を適用することのできるシリンジ補助器を提供することにある。第二の課題は、粘性の高い薬剤であっても押し出し易くすることができるシリンジ補助器を提供することにある。
【課題を解決するための手段】
【０００５】
その課題を解決するために、この発明のシリンジ補助器は、
シリンジのバレルに連結され、そのシリンジのピストンロッドを受け入れ可能なシリンダと、
シリンダの内面に密接してシリンダ内を往復動し、前進時に先端面が前記ピストンロッドの後端面に当接しうるプランジャと
を備えることを特徴とする。
【０００６】
このシリンジ補助器をシリンジに連結すれば、使用者の手元からシリンジの先端までの距離が、補助器の長さだけ延びるので、シリンジの先端を体内の奥深い部分まで届けることができ、奥深い部分であっても薬剤を無駄なく適用することができる。また、使用者の手元からシリンジの先端までの距離が、補助器の長さだけ延びることから、シリンジのピストンロッドの後端面の面積よりもプランジャの後端面の面積を大きくしたり、プランジャにてこを組み合わせたりすることができ、その結果、指先にかかる負担を軽減し、シリンジ内の薬剤を押し出し易くすることができる。
【発明の効果】
【０００７】
体内の奥深い部分であっても薬剤を無駄なく適用することができるので、経済的である。また、シリンジ内の薬剤を押し出し易くすることができるので、外科医等のシリンジ使用者の負担が軽減される。
【図面の簡単な説明】
【０００８】
【図１】第一の実施形態に係るシリンジ補助器を示す正面図である。
【図２】同シリンジ補助器のアタッチメントと本体を分離した状態の軸方向中心線に沿う断面図である。
【図３】同シリンジ補助器の左側面図である。
【図４】同シリンジ補助器の使用状態を示す、軸方向中心線に沿う断面図である。
【図５】第二の実施形態に係るシリンジ補助器のアタッチメントと本体を分離した状態の要部正面図である。
【図６】第三の実施形態に係るシリンジ補助器のアタッチメントと本体を分離した状態の軸方向中心線に沿う要部断面図である。
【図７】第四の実施形態に係るシリンジ補助器の要部斜視図である。
【図８】第四の実施形態に係るもう一つのシリンジ補助器の要部斜視図である。
【図９】第五の実施形態に係るシリンジ補助器を示す正面図である。
【図１０】第六の実施形態に係るシリンジ補助器を示す正面図である。
【発明を実施するための形態】
【０００９】
−実施形態１−
第一の実施形態に係るシリンジ補助器を図１〜図４とともに説明する。シリンジ補助器１は、シリンジに連結されてシリンジ使用者の入力を補助するためのもので、アタッチメント２の附属した本体３を有するシリンダ４と、プランジャ５とを備える。連結されるシリンジとしては、バレルＢ及びピストンロッドＰを備え、バレルＢ後部にバレルＢよりも径方向外側に突出するようにフランジＦがバレルＢと一体的に形成された一般的なタイプのものであってよく、プレフィルドシリンジも含まれる。
【００１０】
アタッチメント２は、先端面にシリンジのバレルＢの外周面と相補する孔を有し、後端面が開放された短い円筒状をなす。本体３は、先端がアタッチメント２の後部より圧入可能で、アタッチメント２よりも長く且つ少なくともシリンジのピストンロッドＰよりも長い円筒状をなす。本体３の先端面にはシリンジのピストンロッドＰを通すがバレルＢのフランジＦを通さない程度の孔が設けられている。本体３の後端面には、中心にプランジャ５のロッド５ａを通す孔が設けられているとともに、フランジ３ａが径方向に突出している。尚、本体３は角筒状であってもよい。
プランジャ５は、本体３よりも十分に長いロッド５ａと、ロッド５ａの先端に本体３の内周面と密接する前板５ｂと、後端にピストンロッドＰの後端面よりも大きく、指の腹を押し当てても腹が局部的にへこまない程度の面積の後板５ｃを一体的に有する。
【００１１】
シリンダ４及びプランジャ５の材質は、γ線滅菌、ＥＯＧ滅菌、乾熱滅菌、蒸気滅菌、化学滅菌のうちのいずれかの方法で滅菌できるものであればよく、ＰＰ、ステンレス、ガラス、熱可塑性ゴム等が挙げられる。本体３は透明にして目盛りが印字されていても良い。
【００１２】
シリンジ補助器１をプレフィルドシリンジに使用する時は、図４に示すように、先ずバレルＢをアタッチメント２の孔に通す。次に、ピストンロッドＰをシリンダ４の本体３に挿入させた状態で本体３の先端をアタッチメント２の後部に圧入する。これにより、バレルＢ後部にバレルＢと一体的に形成されたフランジＦがアタッチメント２と本体３とで挟まれ、ピストンロッドＰが本体３内で往復動可能になるとともに、シリンダ４がバレルＢに連結される。そして、後板５ｃを押すと、プランジャ５にかかる力がピストンロッドＰに伝達されて、ピストンロッドＰが前進し、バレルＢ内の薬剤が押し出される。
【００１３】
シリンジ補助器１をシリンジに連結することにより、薬剤の投与個所が、体内の奥深い部分のようにプレフィルドシリンジ単独では届きにくいような遠い位置であっても、プランジャ５の分だけ長さが延びるので、投与可能である。後述の実施形態２〜６においても同様である。また、プランジャ５の後板５ｃがピストンロッドＰの後端面よりも大きい面積を有するので、薬剤がウレタンプレポリマーを含む医療用接着剤のように高粘度のものであって力強く押し出さなければならない場合であっても、指の腹にかかる圧力が軽減され、押し出しやすくなる。
【００１４】
−実施形態２−
この実施形態では、実施形態１でシリンダ４の本体３がアタッチメント２に圧入されていたのと異なり、図５に示すようにアタッチメント１２の後部内周面及び本体１３の先端部外周面にそれぞれ雌ねじ及び雄ねじが形成されている。そして、それらのねじ運動に伴って両部材の嵌合がなされることにより、シリンジ補助器１１がシリンジ（図示省略）に連結される。ねじ嵌合でしっかりと固定されているので、薬剤の粘性が高い故に相当力強く押し出さなければならない場合であっても、アタッチメント２が本体３から抜けることはない。
【００１５】
−実施形態３−
この実施形態では、図６に示すようにアタッチメント２２の後部内周面及び本体２３の先端部外周面にそれぞれ互いに相補する環状の凸部及び凹部が形成されている。そして、本体２３がアタッチメント２２に圧入されることにより、シリンジ補助器２１がシリンジ（図示省略）に連結される。凸部と凹部が係り合っているので、薬剤の粘性が高い故に相当力強く押し出さなければならない場合であっても、アタッチメント２２が本体２３から簡単に抜けることはない。しかも圧入であるから、短時間に前記連結を行うことができる。
【００１６】
−実施形態４−
この実施形態では、図７に示すようにシリンダの本体３３が後端面にねじ孔を有し、プランジャ３５の外周面にそのねじ孔と嵌合する雄ねじが形成され、後板３５ｃがロッド３５ａの径方向断面よりも十分に大きい多角形をなしている。そして、後板３５ｃを回転させることにより、プランジャ３５がねじ運動に伴って本体３３内を往復動する。
【００１７】
ロッド３５ａが本体３３の後端面にねじ嵌合しているので、押し出し時に後板３５ｃから指が離れてしまってもシリンジのピストンロッド（図示省略）及びプランジャ３５が後退することはない。従って、薬剤の泡立ちが防止される。また、後板３５ｃがロッド３５ａの径方向断面よりも十分に大きい多角形をなしているので、大きい回転力がロッド３５ａに伝えられる。従って、指先の力が弱くても高粘度の接着剤を押し出すことができる。
尚、後板３５ｃに代えて、図８に示すようにロッド３５ａの後端より径方向に延びて続いて後方に屈曲したハンドル３５ｄが取り付けられても良い。
【００１８】
−実施形態５−
この実施形態では、実施形態１の構成に加えて更に、図９に示すように挟み式の一対のレバー６ａ、６ｂを備える。即ち、その第一のレバー６ａの先端がシリンダの本体４３の後端に、第二のレバー６ｂの先端がプランジャ４５の後端にそれぞれ固定されている。そして、レバー６ａ、６ｂを握って、それらの後端を互いに寄せ合うことにより、プランジャ４５がシリンダの本体４３に対して前進する。従って、てこの作用により、握力が弱くても高粘度の接着剤を押し出すことができる。
【００１９】
−実施形態６−
この実施形態では、実施形態５の構成に加えて更に、シリンダの本体５３の後端と第二のレバー１６ｂとの間にリターンスプリング７が配置されている。従って、レバー１６ａ、１６ｂを握る力を解除すると、プランジャ５５がリターンスプリング７の弾性復元力によって後退する。尚、リターンスプリング７は、シリンダ内に配置されてもよい。その場合は、前板５５ｂと本体５３の後端との間に配置される。また、プランジャ５５の後端は、本体５３内への全入防止及び危険防止のために滑らかに湾曲している。湾曲に代えて球状に形成してもよい。
【符号の説明】
【００２０】
１、１１、２１  シリンジ補助器
２、１２、２２  アタッチメント
３、１３、２３  本体
４  シリンダ
５、４５、５５  プランジャ
６ａ、６ｂ、１６ａ、１６ｂ  レバー
７  リターンスプリング
【図１】
2013048662.tif 000003
【図２】
2013048662.tif 000004
【図３】
2013048662.tif 000005
【図４】
2013048662.tif 000006
【図５】
2013048662.tif 000007
【図６】
2013048662.tif 000008
【図７】
2013048662.tif 000009
【図８】
2013048662.tif 000010
【図９】
2013048662.tif 000011
【図１０】
2013048662.tif 000012